(57)【要約】【課題】組立に労力を要さず、収納性、利便性に優れたエレベータのピット出入り用装置を得る。【解決手段】上部タラップ（７）と下部タラップ（８）に２分割されており、収納状態と直立状態になる折り畳み式タラップを備え、長穴部（１３ａ）と溝部（１３ｂ）とを有する固定金具（１３）と、乗場敷居固定ブラケット（１０）と、チェーン（６）とをさらに備え、下部タラップ（７）は、下部回転軸（１１）を介して長穴部（１３ａ）と連結され、折り畳み式タラップは、直立状態を越えた回転が規制される構造を有し、点検作業時にはチェーン（６）を引き上げて折り畳み式タラップを直立状態とさせた後、乗場敷居固定ブラケット（１０）を乗場敷居（３）に挿入させるとともに抜け止め軸（１２）を固定金具の溝部（１３ｂ）に挿入させるように折り畳み式タラップを下ろすことで直立状態を維持させる。【選択図】図４
2014001071.tif 000002
【特許請求の範囲】
【請求項１】
中間部回転軸を介して上部タラップおよび下部タラップに２分割されており、エレベータの通常運行時においては、前記上部タラップと前記下部タラップとが昇降路ピット底面に平行になるように折り畳まれた収納状態となり、作業員がピット内に入る必要がある点検作業時においては、前記昇降路ピット底面と直交する方向で前記下部タラップの上に前記上部タラップを直立させた直立状態となる折り畳み式タラップを備えたエレベータのピット出入り用装置において、
前記昇降路ピット底面に固定されており、長穴部と溝部とを有する固定金具と、
前記上部タラップに一端が取り付けられており、他端が、前記収納状態においては前記昇降路ピット底面と接触することで前記収納状態を維持し、前記直立状態においては乗場敷居に挿入されることで前記直立状態を維持する乗場敷居固定ブラケットと、
一端が前記上部タラップの上端部と接続され、他端が前記乗場敷居に固定されているチェーンと
をさらに備え、
前記折り畳み式タラップは、前記下部タラップに対して前記上部タラップが１８０°となる前記直立状態を越えて回転しようとすると、前記下部タラップと前記上部タラップが前記中間部回転軸の近傍で互いに接触して突っ張ることで１８０°を越えた回転が規制される構造を有し、
前記下部タラップは、下端部に設けられた下部回転軸を介して前記固定金具の前記長穴部と連結されており、
前記点検作業時には前記チェーンを乗場から引上げることにより前記折り畳み式タラップを前記直立状態とさせた後、前記乗場敷居固定ブラケットを前記乗場敷居に挿入させるとともに前記下部回転軸よりも上端側に設けられ前記下部タラップに固定された抜け止め軸を前記固定金具の前記溝部に挿入させるように、前記折り畳み式タラップを下ろすことで、前記折り畳み式タラップの前記直立状態を維持させる
ことを特徴とするエレベータのピット出入り用装置。
【請求項２】
請求項１に記載のエレベータのピット出入り用装置において、
前記直立状態において前記下部回転軸が接触する部分に相当する前記長穴部の下側部分、および前記直立状態において前記抜け止め軸が接触する部分に相当する前記溝部の下側部分をＶ字形状の溝として形成した
ことを特徴とするエレベータのピット出入り用装置。
【請求項３】
請求項１または２に記載のエレベータのピット出入り用装置において、
前記乗場敷居固定ブラケットは、ピット深さに応じて前記上部タラップに対する取付け位置を可変とするクリップ機構を有する
ことを特徴とするエレベータのピット出入り用装置。
【発明の詳細な説明】
【技術分野】
【０００１】
本発明は、作業員が昇降路ピット底面にアクセスするためのエレベータのピット出入り用装置に関する。
【背景技術】
【０００２】
エレベータピット部に設置された機器の保守点検のためには、作業員が、最下階乗場からピット内に出入りする必要がある。この際、最下階乗場からピット底面までは、段差があるため、出入り用の機構を設ける必要がある。そして、利便性や収納性を考慮して、エレベータの昇降路内にピット出入り用装置を設ける場合がある。
【０００３】
ここで、昇降路内にピット出入り装置を設ける場合には、設置スペースが問題になる。昇降路内に配置スペースがある場合には、固定式のピット出入り用装置を配置すれば問題ない。しかしながら、昇降路内に十分な配置スペースがない場合には、折り畳み式のピット出入り用装置を、ピット面もしくは乗りカゴと乗場敷居下部の昇降路壁との間など、エレベータの運転に支障がない位置に配置する必要がある。さらに、作業員がピット内に出入りする際には、乗場からタラップにアクセスして組み立てる必要がある（例えば、特許文献１〜３参照）。
【先行技術文献】
【特許文献】
【０００４】
【特許文献１】特開２００６−８２９３５号公報
【特許文献２】特開２０１０−２７５１１２号公報
【特許文献３】特開２０１０−２０２３５０号公報
【発明の概要】
【発明が解決しようとする課題】
【０００５】
しかしながら、従来技術には、以下のような課題がある。
特許文献１の場合には、折り畳み式タラップを乗場敷居下部の昇降路壁との間に保管し、使用時には乗場まで引上げて、上部・下部タラップを固定した後にピットに下ろす方式を採用している。このため、組立作業に非常に時間を要するといった問題がある。
【０００６】
また、特許文献２の場合には、手摺部と足場部が分割されており、手摺部はピット底面、足場部は乗場敷居下部の昇降路壁との間に保管する構造となっている。従って、ピット底面に置かれた手摺部を乗場まで一端引き上げて、組み立てた足場部に固定する必要がある。このため、特許文献１と同様に、組立作業に時間を要するとともに、機構が煩雑なため、機器コストが高くなるといった問題がある。
【０００７】
さらに、特許文献３の場合には、折り畳み式タラップをピット底面から引上げるだけで組み立てられる利便性に優れた方式が提案されている。しかしながら、上部タラップ／下部タラップの固定のロック機構などが煩雑な構造のため、機器コストが高くなるといった問題がある。
【０００８】
本発明は、前記のような課題を解決するためになされたものであり、組立に労力を要さず、収納性、利便性に優れたエレベータのピット出入り用装置を得ることを目的とする。
【課題を解決するための手段】
【０００９】
本発明に係るエレベータのピット出入り用装置は、中間部回転軸を介して上部タラップおよび下部タラップに２分割されており、エレベータの通常運行時においては、上部タラップと下部タラップとが昇降路ピット底面に平行になるように折り畳まれた収納状態となり、作業員がピット内に入る必要がある点検作業時においては、昇降路ピット底面と直交する方向で下部タラップの上に上部タラップを直立させた直立状態となる折り畳み式タラップを備えたエレベータのピット出入り用装置において、昇降路ピット底面に固定されており、長穴部と溝部とを有する固定金具と、上部タラップに一端が取り付けられており、他端が、収納状態においては昇降路ピット底面と接触することで収納状態を維持し、直立状態においては乗場敷居に挿入されることで直立状態を維持する乗場敷居固定ブラケットと、一端が上部タラップの上端部と接続され、他端が乗場敷居に固定されているチェーンとをさらに備え、折り畳み式タラップは、下部タラップに対して上部タラップが１８０°となる直立状態を越えて回転しようとすると、下部タラップと上部タラップが中間部回転軸の近傍で互いに接触して突っ張ることで１８０°を越えた回転が規制される構造を有し、下部タラップは、下端部に設けられた下部回転軸を介して固定金具の長穴部と連結されており、点検作業時にはチェーンを乗場から引上げることにより折り畳み式タラップを直立状態とさせた後、乗場敷居固定ブラケットを乗場敷居に挿入させるとともに下部回転軸よりも上端側に設けられ下部タラップに固定された抜け止め軸を固定金具の溝部に挿入させるように、折り畳み式タラップを下ろすことで、折り畳み式タラップの直立状態を維持させるものである。
【発明の効果】
【００１０】
本発明に係るエレベータのピット出入り用装置によれば、折り畳み式タラップの組み立てに繁雑な締結作業を不要とし、板金部品のみの簡素な機構を採用して、タラップの収納状態と直立状態の切換えを可能としたことにより、組立に労力を要さず、収納性、利便性に優れたエレベータのピット出入り用装置を得ることができる。
【図面の簡単な説明】
【００１１】
【図１】本発明の実施の形態１におけるエレベータのピット出入り用装置の収納状態を示す側面図である。
【図２】本発明の実施の形態１におけるエレベータのピット出入り用装置の収納状態を示す上面図である。
【図３】本発明の実施の形態１におけるエレベータのピット出入り用装置の組立途中の直立状態を示す側面図である。
【図４】本発明の実施の形態１におけるエレベータのピット出入り用装置の組立完了後の直立状態を示す側面図である。
【図５】本発明の実施の形態１におけるエレベータのピット出入り用装置のピット部固定金具の詳細図である。
【図６】本発明の実施の形態１におけるエレベータのピット出入り用装置のタラップ連結構造の詳細図である。
【図７】本発明の実施の形態２におけるエレベータのピット出入り用装置のピット部固定金具の詳細図である。
【図８】本発明の実施の形態３におけるエレベータのピット出入り用装置に適用される乗場敷居固定ブラケットの説明図である。
【発明を実施するための形態】
【００１２】
以下、本発明のエレベータのピット出入り用装置の好適な実施の形態につき図面を用いて説明する。
【００１３】
実施の形態１．
図１は、本発明の実施の形態１におけるエレベータのピット出入り用装置の収納状態を示す側面図である。また、図２は、本発明の実施の形態１におけるエレベータのピット出入り用装置の収納状態を示す上面図である。
【００１４】
図１、図２に示したエレベータのピット出入り用装置は、ピット底面１、乗場２、乗場敷居３、トーガード４、チェーン固定ブラケット５、チェーン６、上部タラップ７、下部タラップ８、中間部回転軸９、乗場敷居固定ブラケット１０、下部回転軸１１、抜け止め軸１２、および第１の固定金具１３を備えている。
【００１５】
折り畳み式タラップを構成する上部タラップ７と下部タラップ８は、中間部回転軸９にて連結されている。そして、上部タラップ７には、乗場敷居固定ブラケット１０が取り付けられ、さらに、上部タラップ７の上端には、チェーン６が取り付けられている。一方、チェーン６の他端は、チェーン固定ブラケット５を介してトーガード４に取り付けられている。
【００１６】
また、下部タラップ８は、下部回転軸１１を介して固定金具１３の長穴部１３ａと連結されている。また、下部タラップ８の下部回転軸１１の上部には、抜け止め軸１２が固定されている。そして、固定金具１３は、乗場敷居３直下のピット底面１に固定されている。
【００１７】
エレベータの通常運行時には、図１、図２に示したように、上部タラップ７と下部タラップ８がピット底面１に平行になるように折り畳まれた状態（収納状態）で保持されており、運行されているカゴ機器との干渉がない状態に保たれている。
【００１８】
一方、作業員がピット内にアクセスする際のエレベータのピット出入り用装置の状態について、図３、図４を用いて説明する。図３は、本発明の実施の形態１におけるエレベータのピット出入り用装置の組立途中の直立状態を示す側面図である。また、図４は、本発明の実施の形態１におけるエレベータのピット出入り用装置の組立完了後の直立状態を示す側面図である。
【００１９】
図３、図４に示すように、点検作業を行う作業員がピット内にアクセスする際には、乗場２からトーガード４に取り付けられているチェーン６を引上げることで、上部タラップ７を乗場２まで、ある程度引上げた状態とする。次に、チェーン６から上部タラップ７に持ち替えて、上部タラップ７と下部タラップ８を直立させることとなる。
【００２０】
図５は、本発明の実施の形態１におけるエレベータのピット出入り用装置のピット部固定金具の詳細図である。図５中において、「Ａ」は、直立状態となるまでに、下部タラップ８を移動させる方向を示しており、「Ｂ」は、直立状態となった後に、その状態を維持するために、昇降路ピット底面の方向にタラップを下降させる方向を示している。
【００２１】
図３に示したように、直立状態となるまでは、固定金具１３の長穴部１３ａに挿入されている下部回転軸１１は、長穴部１３ａの上部に位置する。また、下部タラップ８に固定されている抜け止め軸１２は、抜け止め軸当て面１３ｃに当り、下部タラップ８の回転が規制される（図５参照）。
【００２２】
図６は、本発明の実施の形態１におけるエレベータのピット出入り用装置のタラップ連結構造の詳細図である。図６に示すように、上部タラップ７と下部タラップ８は、中間部回転軸９を軸にして回転し、１８０°を越えて回転しようとすると、上部タラップ７と下部タラップ８が互いに接触して突っ張り、回転が規制される。
【００２３】
図４に示したような直立状態になった後、図５に示したように、直立状態のタラップを下ろし、乗場敷居固定ブラケット１０を乗場敷居３に挿入し、抜け止め軸１２を固定金具１３のＵ字溝部１３ｂに挿入することで、タラップが乗場に固定され、直立状態が維持される。
【００２４】
ここで、作業員がタラップを昇降する際には、作業員の荷重が作用しているため、直立状態となったタラップが上部に抜けることはない。さらに、下部回転軸１１が固定金具１３の長穴部１３ａ、抜け止め軸１２が固定金具１３のＵ字溝部１３ｂに挿入されているため、下部タラップ８が前後に動いたり、回転したりすることも規制される。
【００２５】
また、上部タラップ７が下部タラップ８に対して１８０°を越えて回転しようとしても、図６を用いて説明したように、上部タラップ７と下部タラップ８が互いに突っ張ることで、１８０°を越えては回転しない。
【００２６】
一方、１８０°以下に回転しようとしても、図４に示したように、乗場敷居固定ブラケット１０の動きが乗場敷居３により制限されるため、上部タラップ７は回転しない。
【００２７】
使用後においては、乗場２から上部タラップ７を上側に引き上げることで、乗場敷居固定ブラケット１０を乗場敷居３から抜き、抜け止め軸１２を固定金具１３のＵ字溝部１３ｂから抜いた状態とした後に、上部タラップ７と下部タラップ８を折り畳み、ピット底面１に収納する。
【００２８】
以上のように、実施の形態１によれば、折り畳み式タラップの組み立てに繁雑な締結作業が不要な構造となっており、かつ板金部品のみの簡素な機構で構成されたエレベータのピット出入り用装置を実現している。この結果、組立に労力を要さず、収納性、利便性に優れた装置を得ることができる。
【００２９】
実施の形態２．
本実施の形態２では、先の実施の形態１とは異なる構成のピット部固定金具を備えたエレベータのピット出入り用装置について説明する。図７は、本発明の実施の形態２におけるエレベータのピット出入り用装置のピット部固定金具の詳細図である。図７中において、「Ａ」は、直立状態となるまでに、下部タラップ８を移動させる方向を示しており、「Ｂ」は、直立状態となった後に、その状態を維持するために、昇降路ピット底面の方向にタラップを下降させる方向を示している。
【００３０】
先の実施の形態１において適用されている固定金具１３は、下部回転軸１１に対する長穴部１３ａの下端部分、および抜け止め軸１２に対するＵ字溝部１３ｂの下端部分は、ともにＵ字形状で構成されている。従って、下部タラップ８の前後の移動（乗場方向に近づいたり離れたりする方向）、あるいは回転をある程度許容している。
【００３１】
これに対して、本実施の形態２において適用されている固定金具１４は、下部回転軸１１に対する長穴部１４ａの下端部分、および抜け止め軸１２に対するＶ字溝部１３ｂの下端部分は、ともにＶ字形状で構成されている。従って、作業員の荷重が下部タラップ８に作用すると、下部回転軸１１、抜け止め軸１２は、ともにＶ字形状の溝に食い込むこととなり、下部タラップ８の前後の移動、回転を抑制することができる。
【００３２】
以上のように、実施の形態２によれば、固定金具における長穴部およびＶ字溝部の下端部分をともにＶ字形状とすることにより、作業員の荷重が下部タラップに作用した際の、下部タラップの前後の移動、回転を抑制することができる。この結果、使用時における直立状態のタラップを、より安定して固定することが可能となる。
【００３３】
実施の形態３．
本実施の形態３では、上部タラップ７に対する乗場敷居固定ブラケット１０の取付け位置を可変とする構成について説明する。図８は、本発明の実施の形態３におけるエレベータのピット出入り用装置に適用される乗場敷居固定ブラケットの説明図である。
【００３４】
上部タラップ７に対する乗場敷居固定ブラケット１０の位置は、ピット深さによって決定される。すなわち、エレベータの設置環境により、上部タラップ７に対する乗場敷居固定ブラケット１０の位置は異なる。
【００３５】
そこで、本実施の形態３では、上部タラップ７に対する乗場敷居固定ブラケット１０の固定を、固定クリップ１５を用いて行っている。このような構成を採用することにより、上部タラップ７に対する乗場敷居固定ブラケット１０の位置を任意に決めることができる。この結果、ピット深さによって機器サイズや機器構成を変更することなく、同一の部品で対応することが可能となる。
【００３６】
以上のように、実施の形態３によれば、上部タラップに対する乗場敷居固定ブラケットの位置を任意に決めることができる固定クリップを採用している。この結果、種々のピット深さあるいは昇降路平面の形状に依存せずに、機器サイズや機器構成を変更することなく、同一の部品でエレベータのピット出入り用装置を構成することが可能となる。
【符号の説明】
【００３７】
１  ピット底面、２  乗場、３  乗場敷居、４  トーガード、５  チェーン固定ブラケット、６  チェーン、７  上部タラップ、８  下部タラップ、９  中間部回転軸、１０  乗場敷居固定ブラケット、１１  下部回転軸、１２  抜け止め軸、１３  固定金具、１３ａ  長穴部、１３ｂ  Ｕ字溝部、１３ｃ  抜け止め軸当て面、１４  固定金具、１４ａ  Ｖ長穴部、１４ｂ  Ｖ字溝部、１４ｃ  抜け止め軸当て面、１５  固定クリップ。
【図１】
2014001071.tif 000003
【図２】
2014001071.tif 000004
【図３】
2014001071.tif 000005
【図４】
2014001071.tif 000006
【図５】
2014001071.tif 000007
【図６】
2014001071.tif 000008
【図７】
2014001071.tif 000009
【図８】
2014001071.tif 000010